(57)【要約】【課題】ブラシホルダに取り付けられたアースターミナルを接地部材としてのギヤケースに位置決めして簡単かつ確実に組み付けることができるモータを提供する。【解決手段】ヨーク１１と、ヨークに回転自在に保持されるアーマチュア軸１７のコンミュテータ１８に摺接する複数のブラシと、ブラシを出没自在に収納するブラシボックスを取り付けたブラシホルダ２０と、ブラシに給電するためにブラシホルダに保持されるターミナルと、ターミナルに設けられたアースターミナル４４と、ヨークの開口部に結合されるギヤケースとを備えたモータにおいて、アースターミナルの先端部４４ｂを略Ｕ字状に折り曲げ形成すると共に、該略Ｕ字状の先端部をブラシホルダの底壁部２２からギヤケースの筒部の周方向に突出させ、かつ、アースターミナルの略Ｕ字状の先端部をギヤケースの筒部の方向に形成した嵌合溝１２ｅに嵌合して接触させた。【選択図】図３
2008252973.tif 000002
【特許請求の範囲】
【請求項１】
ヨークと、このヨークに回転自在に保持されるアーマチュア軸のコンミテータに摺接する複数のブラシと、前記ブラシを出没自在に収納するブラシボックスを取り付けたブラシホルダと、前記ブラシに給電するために前記ブラシホルダに保持されるターミナルと、前記ターミナルに設けられたアースターミナルと、前記ヨークの開口部に結合されるギヤケースとを備えたモータにおいて、
前記アースターミナルの先端部を略Ｕ字状に折り曲げ形成すると共に、該略Ｕ字状の先端部を前記ブラシホルダの底壁部から前記ギヤケースの筒部の周方向に突出させ、かつ、前記アースターミナルの略Ｕ字状の先端部を前記ギヤケースの筒部の方向に形成した嵌合溝に嵌合して接触させたことを特徴とするモータ。
【発明の詳細な説明】
【技術分野】
【０００１】
本発明は、モータ軸のコンミュテータに摺接するブラシを出没自在に保持するブラシホルダを備えたモータに関する。
【背景技術】
【０００２】
この種のモータとして、図１４に示すものがある（例えば、特許文献１参照。）。このモータは、図１４に示すように、ヨークの開口部（図示省略）を覆うカバー１を有している。このカバー１は、金属製のカバー本体２と、このカバー本体２に取り付けられる合成樹脂製のブラシホルダ３とで構成されている。このブラシホルダ３の天井壁部３ａには、一対のターミナル４，５の基部４ａ，５ａを保持する一対のターミナル保持部３ｂ，３ｂを形成してある。また、ブラシホルダ３の天井壁部３ａ及び側壁部３ｃの内側には、一対のターミナル４，５を収容する一対のターミナル収容部（図示省略）を形成してある。
【０００３】
さらに、一対のターミナル４，５の中途部にはブラシスプリング４ｂ，５ｂを形成してあり、その先端部にはブラシ７，８をそれぞれ保持してある。また、一方のターミナル５の基部５ａには、雑音防止用のアース端子片６を設けてある。このアース端子片６は、ブラシホルダ３の側壁部３ｃの外側に露出していて、接地部材としてのヨークの周壁部の内面に接触するようになっている。
【０００４】
【特許文献１】特開２００２−１６５４２４号公報
【発明の開示】
【発明が解決しようとする課題】
【０００５】
しかしながら、前記従来のモータでは、ターミナル５のアース端子片６のばね力でブラシホルダ３がヨークの周壁部から外れてしまったり、組み付け誤差を防ぐためにアース端子片６を大きくする必要があった。これにより、モータの組み立て時に、ヨークの周壁部に干渉しないようにしなければならないため、自動組み立てが困難となっていた。
【０００６】
そこで、本発明は、前記した課題を解決すべくなされたものであり、ブラシホルダに取り付けられたアースターミナルを接地部材としてのギヤケースに位置決めして簡単かつ確実に組み付けることができるモータを提供することを目的とする。
【課題を解決するための手段】
【０００７】
請求項１の発明は、ヨークと、このヨークに回転自在に保持されるアーマチュア軸のコンミテータに摺接する複数のブラシと、前記ブラシを出没自在に収納するブラシボックスを取り付けたブラシホルダと、前記ブラシに給電するために前記ブラシホルダに保持されるターミナルと、前記ターミナルに設けられたアースターミナルと、前記ヨークの開口部に結合されるギヤケースとを備えたモータにおいて、前記アースターミナルの先端部を略Ｕ字状に折り曲げ形成すると共に、該略Ｕ字状の先端部を前記ブラシホルダの底壁部から前記ギヤケースの筒部の周方向に突出させ、かつ、前記アースターミナルの略Ｕ字状の先端部を前記ギヤケースの筒部の方向に形成した嵌合溝に嵌合して接触させたことを特徴とする。
【発明の効果】
【０００８】
以上説明したように、請求項１の発明によれば、アースターミナルの先端部を略Ｕ字状に折り曲げ形成すると共に、該略Ｕ字状の先端部をブラシホルダ本体の底壁部からギヤケースの筒部の方向に突出させ、かつ、アースターミナルの略Ｕ字状の先端部をギヤケースの筒部の方向に形成した嵌合溝に嵌合して接触させたことにより、ブラシホルダに取り付けられたアースターミナルを接地部材としてのギヤケースに位置決めして簡単かつ確実に組み付けることができる。
【発明を実施するための最良の形態】
【０００９】
以下、本発明の一実施形態を図面に基づいて説明する。
【００１０】
図１は本発明の一実施形態のモータを示す斜視図、図２は同モータのヨークを取り外した状態を示す斜視図、図３は同ヨークを取り外した状態を一部断面で示す部分側面図、図４は同モータのギヤケースカバーに支持されたブラシホルダを底面側から見た斜視図、図５は同ブラシホルダを正面斜め上方から見た斜視図、図６は同ブラシホルダを背面側から見た斜視図、図７は同ブラシホルダの正面図、図８は同ブラシホルダの分解斜視図、図９は同ブラシホルダの要部の拡大斜視図、図１０は同ブラシホルダに配置されるブラシとチョークコイルとターミナルの関係を示す拡大斜視図、図１１は同ブラシホルダのブラシホルダ本体を正面斜め上方から見た斜視図、図１２は同ブラシホルダ本体の平面図、図１３は同ブラシホルダ本体の一対のチョークコイル保持部を正面斜め上方から状態から見た斜視図である。
【００１１】
図１及び図２に示すように、モータ１０は、図示しないアーマチュアを収納した有底で円筒状のヨーク（モータケース）１１と、このヨーク１１の開口部の周りのフランジ部１１ａが図示しないビスを介して円筒部１２ａの開口部１２ｂの周りのフランジ部１２ｃに締結固定され、内部にアーマチュアのアーマチュア軸（モータ軸）１７に形成したウォームと該ウォームに噛合するウォームホイールから成る減速機構（図示省略）を収納したギヤケース１２と、このギヤケース１２の側壁部１２ｄの先端に側壁部１３ｂの開口端の環状凹部１３ｃを嵌め込むようにして該ギヤケース１２の側壁部１２ｄに図示しないビスを介して締結固定されるギヤケースカバー１３とを備えている。そして、図４及び図５に示すように、ギヤケースカバー１３の天板部１３ａの内面に一体突出形成された雄コネクタ部１３ｄにブラシホルダ２０の雌コネクタ部２７を着脱自在に嵌め込んである。これにより、図２に示すように、ブラシホルダ２０は、モータ１０を組み立てる際に、ギヤケース１２の円筒部１２ａ内の所定位置に位置決めされて組み付けられるようになっている。
【００１２】
図２，図４〜図８に示すように、ブラシホルダ２０は、アーマチュア軸１７のコンミュテータ１８に電源を供給する給電用の一対のブラシ３３，３３及び接地用（アース用）のブラシ３５をそれぞれ出没自在に収納する３つのブラシボックス３１，３１，３２を取り付けた金属製で円環板状のステー３０と、このステー３０を底壁部２２に取り付けると共に、周壁部２５の内側に給電用の一対のブラシ３３，３３にそれぞれ接続される電磁ノイズ低減用のチョークコイル４０を収納する略半円筒状で一対のチョークコイル保持部２８，２８を突設した合成樹脂製のブラシホルダ本体２１と、一端部４２ａが各チョークコイル４０の他端部４０ｂに接続されて一対のブラシ３３，３３に電源を供給する給電用の一対のターミナル４２，４２と、接地用のブラシ３５に接続される接地用（アース用）のターミナル４３と、この接地用のターミナル４３の中途部４３ｃにスポット溶接され、該中途部４３ｃより下方に突出するアースターミナル４４とを備えている。
【００１３】
図４，図５，図７〜図９に示すように、ステー３０の中央にはアーマチュア軸１７のコンミュテータ１８を貫通させる円形の貫通孔３０ａを形成してある。この貫通孔３０ａを挾むようにしてステー３０の上面３０ｂには、各ブラシボックス３１，３２を放射状にそれぞれ取り付けてあり、この各ブラシボックス３１，３２内に各ブラシ３３，３５を出没自在に収納してある。また、各ブラシ３３，３５は付勢手段としての圧縮コイルバネ３８によりコンミュテータ１８に接触するように押圧付勢されている。尚、ステー３０の給電用のブラシボックス３１と接地用のブラシボックス３２が取り付けられる外周縁３０ｃ側には凹状の切欠き部３０ｄ，３０ｅをそれぞれ形成してある。また、ステー３０の外周縁３０ｃはブラシホルダ本体２１の周壁部２５の内周面２５ａに複数形成された各上下一対の係止爪２５ｂ，２５ｃ間に保持されている。
【００１４】
図４〜図９及び図１１〜図１３に示すように、ブラシホルダ本体２１の底壁部２２は半円環板状に形成してあり、その上面２２ａに給電用の一対のターミナル４２，４２を配索する一対の収納凹部２３，２３と接地用のターミナル４３を配索する収納溝部２４をそれぞれ形成してある。各収納凹部２３の両側には各ターミナル４２を保持する一対の係止爪２３ａ，２３ａを一体突出形成してある。また、収納溝部２４の両側には一対の係止爪２４ａ，２４ａを複数対形成してあると共に、収納溝部２４の周壁部２５寄りの位置には、アースターミナル４４が貫通する貫通孔２４ｂを形成してある。
【００１５】
図４〜図８に示すように、ブラシホルダ本体２１の周壁部２５は半円環板状の底壁部２２の両側から少し突出した円弧状になっている。この周壁部２５の下部には矩形の開口部２６を形成してあると共に、該開口部２６の下側の底壁部２２には雌コネクタ部２７を一体突出形成してある。
【００１６】
また、図４〜図９及び図１１〜図１３に示すように、ブラシホルダ本体２１の周壁部２５の内周面２５ａの開口部２６に対向する位置（一端側）には、電磁ノイズ低減用のチョークコイル４０を収納する略半円筒状で一対のチョークコイル保持部２８，２８をそれぞれ一体突出形成してある。この各チョークコイル保持部２８の底壁２８ａにはブラシホルダ本体２１の周壁部２５の開口部２６と連通する開口部２８ｂを形成してある。また、図１１〜図１３に示すように、各チョークコイル保持部２８の下端部は断面略半円形に形成されていると共にその下端部から上端部に向かって断面多角形に形成されている。これは、チョークコイル保持部２８が下端部から上端部に向かってチョークコイル４０に接触するように、断面多角形の各辺はチョークコイル４０の外径に対して接線となるように、各チョークコイル保持部２８の断面略半円形の下端部から上端部に向かって連続的に変化している。さらに、図９及び図１１〜図１３に示すように、各チョークコイル保持部２８の外側の側壁２８ｄの上端には各チョークコイル４０の一端部４０ａを保持する係止凹部２８ｅを形成してある。さらに、図１１〜図１３に示すように、各チョークコイル保持部２８の底壁２８ａは各チョークコイル４０を載置させる半円形状の棚部になっている。
【００１７】
また、図４〜図９及び図１１〜図１３に示すように、ブラシホルダ本体２１の周壁部２５の内周面２５ａの他端側には、サーキットブレーカ３７を収納する凹状のブレーカ保持部２９を形成してある。図５〜図８に示すように、サーキットブレーカ３７の上側の端子３７ａには、一端部３６ａが接地用のブラシ３５に接続されたピグテール線（リード線）３６の他端部３６ｂをスポット溶接により接合してある。また、サーキットブレーカ３７の下側の端子３７ｂには、接地用のターミナル４３の一端部４３ａをスポット溶接により接合してある。さらに、図６に示すように、接地用のターミナル４３の他端部４３ｂはブラシホルダ本体２１の雌コネクタ部２７内に突出している。
【００１８】
図２，図５，図８〜図１０に示すように、各チョークコイル４０は巻回部４０ｃ内に円柱状のマグネット４１を接着等により固着してあり、その一端部４０ａには一端部３４ａが給電用のブラシ３３に接続されたピグテール線（リード線）３４の他端部３４ｂを加締め板３９の加締めにより接合してある。また、この各チョークコイル４０は、比較的高い周波数の電流を阻止し、直流又は比較的低い周波数の電流だけを通過させることを目的とした電磁ノイズ低減用のコイルである。
【００１９】
図６，図８〜図１２に示すように、給電用の各ターミナル４２の一端部４２ａは段差状に折り曲げ形成してあり、その中央にスリット状の接続孔４２ｂを形成してある。また、給電用の各ターミナル４２の中途部４２ｃは垂直に起立していて、ブラシホルダ本体２１の底壁部２２の各収納凹部２３の孔部２３ｂを通って雌コネクタ部２７の裏側に延びている。そして、図６に示すように、給電用の各ターミナル４２の他端部４２ｄはブラシホルダ本体２１の雌コネクタ部２７内に突出している。この組み付けの際に、ブラシホルダ本体２１の周壁部２５の開口部２６内に、各チョークコイル４０の他端部４０ｂと給電用の各ターミナル４２の一端部４２ａをそれぞれ露出するように配索し、該各ターミナル４２の一端部４２ａの接続孔４２ｂに各チョークコイル４０の他端部４０ｂを貫通させた後で、これら両端部をスポット溶接により接合するようになっている。
【００２０】
また、図８，図１１，図１２に示すように、アースターミナル４４の基端部４４ａは接地用のターミナル４３の中途部４３ｃにスポット溶接により接合されている。このアースターミナル４４の先端部４４ｂは略Ｕ字状に折り曲げ形成されている。この略Ｕ字状の先端部４４ｂは、図３，図４，図７に示すように、ブラシホルダ本体２１の底壁部２２から接地部材としてのギヤケース１２の円筒部（筒部）１２ａの周方向に沿う方向に突出している。そして、図３に示すように、アースターミナル４４の略Ｕ字状の先端部４４ｂは、ギヤケース１２の円筒部１２ａの周方向に沿う方向に形成された嵌合溝１２ｅに嵌合されて接触するようになっている。
【００２１】
以上実施形態のモータ１０によれば、図３，図４，図７に示すように、アースターミナル４４の先端部４４ｂを略Ｕ字状に折り曲げ形成すると共に、該略Ｕ字状の先端部４４ｂをブラシホルダ２０のブラシホルダ本体２１の底壁部２２からギヤケース１２の円筒部１２ａの周方向に沿う方向に突出させ、かつ、アースターミナル４４の略Ｕ字状の先端部４４ｂをギヤケース１２の円筒部１２ａの周方向に沿う方向に形成した嵌合溝１２ｅに嵌合して接触させたことにより、ブラシホルダ２０に取り付けられたアースターミナル４４をギヤケース１２の円筒部１２ａの嵌合溝１２ｅに位置決めして簡単かつ確実に組み付けることができる。即ち、アースターミナル４４の略Ｕ字状の先端部４４ｂは、ギヤケース１２の円筒部１２ａの嵌合溝１２ｅ内に楔状に挿入されて嵌合されるので、多少の組み立て位置に狂いがあっても自然と修正されて嵌合され、嵌合溝１２ｅに接触する。このため、ブラシホルダ２０がギヤケース１２の円筒部１２ａの取付位置に簡単かつ確実に位置決めされて組み付けられる。その結果、アースターミナル４４が突設するブラシホルダ２０を備えたモータ１０の自動組み立てが可能となる。
【００２２】
また、モータ１０の組み立ての際に、アースターミナル４４の略Ｕ字状の先端部４４ｂのばね力がギヤケース１２の円筒部１２ａの内周面に直交する方向に反力として働くことがないため、ブラシホルダ２０とギヤケース１２との組み立てが容易となる。さらに、アースターミナル４４の略Ｕ字状の先端部４４ｂの変形ストローク確保のために長めに設計した該アースターミナル４４のギヤケース１２の円筒部１２ａへの干渉回避を留意することが不要となる。即ち、鉛直方向にアースターミナル４４の略Ｕ字状の先端部４４ｂがギヤケース１２の円筒部１２ａの嵌合溝１２ｅ内に挿入できる過重だけを考慮すればよい。
【図面の簡単な説明】
【００２３】
【図１】本発明の一実施形態のモータを示す斜視図である。
【図２】上記モータのヨークを取り外した状態を示す斜視図である。
【図３】上記モータのヨークを取り外した状態を一部断面で示す部分側面図である。
【図４】上記モータのギヤケースカバーに支持されたブラシホルダを底面側から見た斜視図である。
【図５】上記ブラシホルダを正面斜め上方から見た斜視図である。
【図６】上記ブラシホルダを背面側から見た斜視図である。
【図７】上記ブラシホルダの正面図である。
【図８】上記ブラシホルダの分解斜視図である。
【図９】上記ブラシホルダの要部の拡大斜視図である。
【図１０】上記ブラシホルダに配置されるブラシとチョークコイルとターミナルの関係を示す拡大斜視図である。
【図１１】上記ブラシホルダのブラシホルダ本体を正面斜め上方から見た斜視図である。
【図１２】上記ブラシホルダ本体の平面図である。
【図１３】上記ブラシホルダ本体の一対のチョークコイル保持部を正面斜め上方から状態から見た斜視図である。
【図１４】従来のモータのブラシホルダとアースターミナルの分解斜視図である。
【符号の説明】
【００２４】
１０  モータ
１１  ヨーク
１１ａ  フランジ部（開口部）
１２  ギヤケース
１２ａ  円筒部（筒部）
１２ｅ  嵌合溝
１７  アーマチュア軸
１８  コンミュテータ
２０  ブラシホルダ
２１  ブラシホルダ本体
２２  底壁部
２５  周壁部
２８，２８  一対のチョークコイル保持部
２８ｂ  開口部
３０  ステー
３１，３２  ブラシボックス
３３，３３  給電用の一対のブラシ
３５  接地用のブラシ
４０  チョークコイル
４０ｂ  他端部
４２，４２  給電用の一対のターミナル
４２ａ  一端部
４３  接地用のターミナル
４４  アースターミナル
４４ｂ  先端部
【図１】
2008252973.tif 000003
【図２】
2008252973.tif 000004
【図３】
2008252973.tif 000005
【図４】
2008252973.tif 000006
【図５】
2008252973.tif 000007
【図６】
2008252973.tif 000008
【図７】
2008252973.tif 000009
【図８】
2008252973.tif 000010
【図９】
2008252973.tif 000011
【図１０】
2008252973.tif 000012
【図１１】
2008252973.tif 000013
【図１２】
2008252973.tif 000014
【図１３】
2008252973.tif 000015
【図１４】
2008252973.tif 000016